(57)【要約】【課題】ホットメルト接着剤や封緘テープなどを用いることなく、対向するフラップ同士を確実に固定することができる収納箱を提供する。【解決手段】  複数個を重ねた状態で、結束材４３で周囲を捲回して結束可能な矩形状の収納箱１であって、隣接する２つの外面の接続部に位置し、結束材４３が巻かれる際に該結束材４３と接触する稜線３７，３８，３９，４０の内、少なくとも１つの稜線には、稜線に沿って面取りした複数個の面取り領域１４，１５あるいは１６，１７が形成されている。上記構成により、２つの外面の接続部に位置する稜線に応力が集中して収納箱１が変形することを防止することができる。【選択図】図７
2015024838.tif 000002
【特許請求の範囲】
【請求項１】
複数個を重ねた状態で、結束材で周囲を捲回して結束可能な矩形状の収納箱であって、
隣接する２つの外面の接続部に位置し、結束材が巻かれる際に該結束材と接触する稜線の内、少なくとも１つの稜線には、稜線に沿って面取りした面取り領域が複数個形成されていることを特徴とする収納箱。
【請求項２】
前記複数個の面取り領域は端部同士が接合されていることを特徴とする請求項１に記載の収納箱。
【請求項３】
前記接合される面取り領域の端部は先細りに形成されていることを特徴とする請求項２に記載の収納箱。
【請求項４】
２つの面取り領域が８の字状に接合されてなることを特徴とする請求項３に記載の収納箱。
【請求項５】
収納箱は長方形の断面を備えており、前記面取り領域は前記長方形の断面の対角線上に配置されていることを特徴とする請求項１〜４のいずれか１項に記載の収納箱。
【発明の詳細な説明】
【技術分野】
【０００１】
本発明は、食品類，医薬品類，精密部品類，インクカートリッジ等の物品を収容する収納箱に関する。
【背景技術】
【０００２】
従来、食品類，医薬品類，精密部品類，インクカートリッジ等の収納物が収納された収納箱を複数個まとめて販売する場合には、図９に示すように、複数個の収納箱９０を積み重ねて、透明フィルムなどの結束材９２で環状に結束していた。このような場合、収納箱９０がずれたり抜け落ちたりするのを阻止するため、ある程度強い力で結束材９２を締結する必要がある。
【先行技術文献】
【特許文献】
【０００３】
【特許文献１】特開２００５−１７０４８０号公報
【発明の概要】
【発明が解決しようとする課題】
【０００４】
しかしながら、収納箱は紙製であることが多く、強度がそれ程強くないことから、強い力で結束材で結束したとき、締め付けられて変形することがある。収納箱が変形すると、収納箱の外観を損ねるとともに結束材が緩んでしまうことがあった。これに対し、収納箱が変形することを防止するために、収納箱に用いる紙厚を厚し、あるいは硬質の紙に変更することが考えられるが、紙厚を厚くすると収納箱の重量が増えて扱いにくくなり、硬質の紙を用いるとコスト高になるという問題があった。
【０００５】
本発明の主な目的は、従来のこのような問題点を解決するためになされたものであり、紙の厚さを厚くし、あるいは硬質の紙に換えることなく、結束材で結束したとき型崩れしにくい形状を備えた収納箱を提供することにある。
【課題を解決するための手段及び発明の効果】
【０００６】
上記目的を達成するために、本発明の一の紙製の収納箱によれば、複数個を重ねた状態で、結束材で周囲を捲回して結束可能な矩形状の収納箱であって、隣接する２つの外面の接続部に位置し、結束材が巻かれる際に該結束材と接触する稜線の内、少なくとも１つの稜線には、稜線に沿って面取りした面取り領域が複数個形成されている。
【０００７】
上記構成により、２つの外面の接続部に位置する稜線に応力が集中して収納箱が変形することを防止することができる。
【０００８】
また、前記複数個の面取り領域は端部同士が接合されている。
【０００９】
上記構成によって、面取り領域の剛性を高めることができる。
【００１０】
また、前記接合される面取り領域の端部は先細りに形成されている。
【００１１】
上記構成によると、面取り領域同士の接合部分に、なだらかに山形状に盛り上がった凸部が形成される。この凸部を含むように結束材で結束すると、結束材に掛かる圧力は凸部で高くなり、これによって結束された結束材の位置がずれることを防止することができる。
【００１２】
また、２つの面取り領域が８の字状に接合されている。
【００１３】
上記構成によると、面取り領域を安価に形成することができる。
【００１４】
また、収納箱は長方形の断面を備えており、前記面取り領域は前記長方形の断面の対角線上に配置されている。
【００１５】
上記構成によると、面取り領域が設けられていない対角線上に位置する２つの折り曲げ線でブランク材を平面状に折り曲げ可能となるので、製函機でプレスしてブランク材を筒状に貼り合わせることができる。
【図面の簡単な説明】
【００１６】
【図１】本発明の一実施の形態に係る収納箱の展開図である。
【図２】上板と側板と底板とを筒状に連結した収納箱を上方から見た斜視図である。
【図３】上板と側板と底板とを筒状に連結した収納箱を下方から見た斜視図である。
【図４】２つの面取り領域を接合する接合部の拡大図である。
【図５】縦フラップと横フラップとを閉じた状態を上方から見た斜視図である。
【図６】縦フラップと横フラップとを閉じた状態を下方から見た斜視図である。
【図７】上下に２つ積み重ねられた収納箱を結束材で結束した状態を上方から見た斜視図である。
【図８】上下に２つ積み重ねられた収納箱を結束材で結束した状態を下方から見た斜視図である。
【図９】従来の上下に２つ積み重ねられた収納箱を結束材で結束した状態を示す斜視図である。
【発明を実施するための形態】
【００１７】
以下、本発明の実施例を図面に基づいて説明する。ただし、以下に示す実施例は、本発明の技術思想を具体化するための収納箱を例示するものであって、収納箱を以下のものに限定するものではない。
【００１８】
図１は、本発明の収納箱１の展開図を示している。側板４，上板２，側板５，底板３がこの順番に連設されており、底板３の端部には底板３を側板４に連結する糊代６が設けられている。上板２の両側部には横フラップ７が設けられており、底板３の両側部には横フラップ８が設けられている。側板４の両側には縦フラップ９が設けられており、側板５の両側には縦フラップ１０が設けられている。縦フラップ９，１０と横フラップ７，８とで収納箱１の側面が形成される。
【００１９】
上板２と側板５との接続部に位置する折曲線１２には面取り領域１４，１５が設けられ、底板３と糊代６との接続部に位置する折曲線１３には面取り領域１６，１７が設けられる。面取り領域１４，１５は、収納箱１が組み立てられたとき、折曲線１２の稜線３８に形成される面取りであり、面取り領域１６，１７は、収納箱１が組み立てられたとき、折曲線１３の稜線４０に形成される面取りである。
【００２０】
面取り領域１４，１５，１６，１７は、たとえばブランク材にエンボス加工して細長に形成される。面取り領域１４，１５，１６，１７の一端部１４ａ，１５ａ，１６ａ，１７ａは先端部が尖った先細り状に形成されている。面取り領域１４の一端部１４ａと面取り領域１５の一端部１５ａとは折曲線１２の中央部で接合して、Ｘ字状の接合部２１を形成する。面取り領域１６の一端部１６ａと面取り領域１７の一端部１７ａとは折曲線１３の中央部で接合して、Ｘ字状の接合部２２を形成する。面取り領域１４，１５，１６，１７の他端部１４ｂ，１５ｂ，１６ｂ，１７ｂは半円弧状に形成されている。面取り領域１４と１５とは左右対称に形成されており、面取り領域１４と１５とが接合された形状は８の字状である。面取り領域１６と１７とは左右対称に形成されており、面取り領域１６と１７とが接合された形状は８の字状である。
【００２１】
なお、側板４から上板２にかけて蓋部２５が設けられている。蓋部２５は、摘まみ片２６をミシン目２７と切り取り線２８とに沿って引き上げ可能である。引き上げた蓋部２５は折曲線３０で折り曲げ可能である。
【００２２】
図２および図３は糊代６が側板４に接着されて、側板４，上板２，側板５および底板３がこの順番に筒状に連結された状態を示す。側板４，上板２，側板５および底板３の接続部に位置する折曲線３５，１２，３６，１３には、各々稜線３７，３８，３９，４０が形成される。面取り領域１４と１５とは稜線３８に位置するようになり、面取り領域１６と１７とは稜線４０に位置するようになる。図２に記載の面取り領域１４，１５と直交するＩＶ−ＩＶ面で切断した断面図を図４に示す。このとき、図４に示すように、面取り領域１４と１５とが接合するＸ字状の接合部２１では、先細り状の一端部１４ａ，１５ａが接合部２１に向かってなだらかに盛り上がり、接合部２１には山形状の凸部が形成されている。同様に、面取り領域１６と１７とが接合するＸ字状の接合部２２では、先細り状の一端部１６ａ，１７ａが接合部２２に向かってなだらかに盛り上がり、接合部２２には山形状の凸部が形成されている。
【００２３】
図５および図６は、収納箱１に収納物が収納された後、縦フラップ９，１０が閉じられ、横フラップ８が閉じられ、さらに横フラップ７が閉じられてホットメルト接着された状態を示す。収納物が収納された収納箱１は上下に２つ積み重ねられ、透明フィルムなどの結束材４３で結束される。このときの状態を図７および図８に示す。図７は上方から見た斜視図であり、図８は下方から見た斜視図である。結束材４３は、収納箱１の周囲を捲回した状態で、結束材４３で覆われた部分の収納箱１を視認できるよう、透光性を有することが好ましい。また、結束材４３は好ましくは幅広として、広い面積で収納箱１の周囲を覆うようにする。これによって、結束材４３の締結による圧力を分散させ、例えば結束バンドのような紐状の結束材が収納箱１の一部の周囲で締結される結果、圧力が集中して収納箱１を破損するといった事態を回避できる。
【００２４】
積み上げられた２つの収納箱１のうち、上側に位置する収納箱１では、対角線上の２つの対向する稜線３８と４０とのうちの一方の稜線３８に形成された面取り領域１４，１５に結束材４３が巻かれており、下側に位置する収納箱１では、対角線上の２つの対向する稜線３８と４０とうちの一方の稜線４０に形成された面取り領域１６，１７に結束材４３が巻かれている。稜線３８，４０が受ける結束材４３の締め付け力を、一定の広さを持った面取り領域１４，１５，１６，１７で受けることによって、稜線３８，４０に応力が集中することを防止することができる。これによって、たとえば稜線３８，４０が撓んで、上板２、底板３あるいは側板４，５などが凹むことを防止して、結束材４３で結束された収納箱１が変形して結束材４３から脱落することを抑制することができ、さらに結束材４３で結束された収納箱１の外観を美的に保つことができる。
【００２５】
面取り領域１４と１５との接合部２１、面取り領域１６と１７との接合部２２には、なだらかに盛り上がった山形状の凸部が形成されるので、積み上げられた２つの収納箱１に結束材４３を結束するとき、この凸部を含んで結束すると、結束材４３に掛かる圧力は凸部で高くなる。これによって結束した結束材４３が位置ずれを起こすことを防止することができる。
【００２６】
なお、本実施の形態では、一方の対角線上の２つの対向する稜線３８，４０に面取り領域１４，１５，１６，１７を形成しており、他方の対角線上の２つの対向する稜線３７，３９には面取り領域を設けていない。このような構成とすると、他方の対角線上の２つの対向する稜線３７，３９（折曲線３５，３６）でブランク材を平面状に折り畳むことができるので、製函機でプレスして筒状にホットメルト接着することができる。
【００２７】
しかしながら、これに限定されるものではなく、一方の対角線上の２つの対向する稜線３７，３８と、他方の対角線上の２つの対向する稜線３９，４０との双方に面取り領域を設けることもできる。このようにすると、２つの収納箱が積み上げられた状態で、４隅に面取り領域を設けることができるので一層効果的に収納箱の変形を防止することができる。
【００２８】
また、１つの稜線（折曲線）に形成される面取り領域同士は一端部が接合されているが、これに限定されるものではなく、面取り領域同士が離れているものでも良い。１つの稜線（折曲線）に２つの面取り領域が形成されているが、これに限定されるものではなく、１つの稜線（折曲線）に１つの面取り領域が形成され、あるいは３つ以上の面取り領域が形成されるものでも良い。
【産業上の利用可能性】
【００２９】
本発明の収納容器は、食品類，ティッシュやコットン、生理用品、医薬品類，精密部品類，インクカートリッジ等の物品を収容する収納容器として好適に利用できる。
【符号の説明】
【００３０】
１…収納箱
２…上板
３…底板
４，５…側板
６…糊代
７，８…横フラップ
９，１０…縦フラップ
１２，１３，３０，３５，３６…折曲線
１４，１５，１６，１７…面取り領域
１４ａ，１５ａ，１６ａ，１７ａ…一端部
１４ｂ，１５ｂ，１６ｂ，１７ｂ…他端部
２１，２２…接合部
２６…摘まみ片
２７…ミシン目
２８…切り取り線
３１…切り込み
３７，３８，３９，４０…稜線
４３，９２…結束材
９０…収納箱
【図１】
2015024838.tif 000003
【図２】
2015024838.tif 000004
【図３】
2015024838.tif 000005
【図４】
2015024838.tif 000006
【図５】
2015024838.tif 000007
【図６】
2015024838.tif 000008
【図７】
2015024838.tif 000009
【図８】
2015024838.tif 000010
【図９】
2015024838.tif 000011